(57)【要約】【課題】汎用の外付け表示器を取り付け可能とし、本体とは異なるチャンネルの測定データの画像処理を行って、画像出力端子から複数の外付け表示器に出力する。【解決手段】複数の測定入力と表示手段を備えた表示計器において、前記表示計器にネットワークを経由して他の測定器の測定入力を取り入れる通信インタフェースを設け、前記ネットワーク経由の測定入力を外付け表示部に出力する。【選択図】      図１
2008175658.tif 000002
【特許請求の範囲】
【請求項１】
複数の測定入力と表示手段を備えた表示計器において、前記表示計器にネットワークを経由して他の測定器の測定入力を取り入れる通信インタフェースを設け、前記ネットワーク経由の測定入力を外付け表示部に出力することを特徴とする表示計器。
【請求項２】
前記画像処理回路の出力は、表示計器本体に設けた画像出力端子および画像ケーブを介して前記外付け表示部に送信することを特徴とする請求項１に記載の表示計器。
【請求項３】
前記画像処理回路をモジュール化したことを特徴とする請求項１または２に記載の表示計器。
【請求項４】
前記画像処理回路と画像出力端子をモジュール化したことを特徴とする請求項１乃至３のいずれかに記載の表示計器。
【請求項５】
前記表示計器本体内に収納された前記画像処理回路を含む発熱部品の組み付け位置を変更可能としたことを特徴とする請求項１乃至４のいずれかに記載の表示計器。
【請求項６】
前記表示計器本体は温度測定のための基準接点を備えたことを特徴とする請求項１乃至５のいずれかに記載の表示計器。
【請求項７】
前記複数の測定入力の表示に関するメモリ領域を、共通表示部分と測定出力に対応して変化する部分に分割し、前記画像処理回路は、前記共通表示部分と測定出力に対応して変化する部分を合成して出力することを特徴とする請求項１乃至６のいずれかに記載の表示計器。
【発明の詳細な説明】
【技術分野】
【０００１】
本発明は、複数のチャンネルの測定入力を表示する表示計器において、ネットワーク経由を含む複数の測定入力を表示するための表示計器に関するものである。
【背景技術】
【０００２】
図７は従来の表示計器の構成を示す正面図（ａ），背面図（ｂ），外付け表示器の正面図（ｃ）である。
図７（ａ）において、１は本体側表示器で、例えば１〜３０Ｃｈ（チャンネル）の測定データをキー２や３等で切替えて表示する。図７（ｂ）において、４は計測（入力）端子、５は他の端子、６は画像出力端子である。この画像出力端子は画像ケーブル７を介して図７（c）に示す外付け表示器８に測定画像を送出する。
【０００３】
図７の従来例においては、１〜３０Ｃｈ（チャンネル）の測定データは本体側表示器１に表示されるとともに同じ画像が外付け表示器８にも表示される。外付け表示器８は本体表示器１の画像を拡大して表示したい場合などに利用される。
【０００４】
図８は図７（ｂ）に示す計測端子４の中の一つの拡大図であり、表示計器が熱伝対温度計として使用されている場合を示している。（ａ）は正面図、（ｂ）は平面図である。図では１ｃｈから１０ｃｈまでのねじ端子（＋,−）９を有している。１０はねじ端子が取り付けられた端子台、１１は端子板アセンブリのベースプリント板、１２はＲＪＣ（基準接点補償・・・Reference  Junction  Compensation）のプリント板アセンブリ、１３は端子板アセンブリを計器本体に接続する為のコネクタである。
【０００５】
図９は図７に示す従来の表示計器のブロック構成図を示すもので、例えばＣＨ（チャンネル）グループＡの構成を示している。図において、計測端子４から入力した測定信号は計測回路４ａで正規化された信号に変換され、メモリ１５に取り入れられるとともにＣＰＵ１６で所定の処理が行われ、画像処理回路１７で画像処理が行われて本体側表示器１及び画像出力端子６に送出される。
【０００６】
図１０（ａ）は、このような表示計器内部に組み込まれた発熱部品（ＣＰＵや画像処理回路）１９による温度勾配を示すもので、ここでは、ＣＰＵと画像処理回路が一体として組み込まれている場合を示している。図において４ａは計測端子用のコネクタ、２０はＣＰＵ・画像処理回路一体型ボード用のコネクタである。
【０００７】
図１０（ｂ）は、ＣＰＵや画像処理回路を一体型ボードとして組み込んだ発熱部品１９の一例を示す平面図である。
図１０（ａ）によれば、計器内部の温度は発熱部品が計器筐体の右上隅近傍に配置されているので、右上隅側の温度が高くなっていることが分かる。
【０００８】
なお、ネットワークと接続した記録計に関する先行文献としては次のようなものが知られている。
【０００９】
【特許文献１】特開平０８−３２０２４２号公報
【特許文献２】特開２００４−３２６２３４号公報
【発明の開示】
【発明が解決しようとする課題】
【００１０】
ところで、上記従来の表示計器においては下記のような問題があった。
１）本体側表示器１と、外付け表示器８とで、違う出力画像を表示できないという問題があり、また、画面の数を増やせないという問題がある。
【００１１】
２）箱形計測器の中にすべての入力チャンネルが設けられている場合は、表示する測定データにもある程度の上限があるので、表示画面の数が問題になることはない。即ち、一つの箱に設ける測定入力の数には限界が存在するので、表示するチャンネルにもある程度の限界が生じる。チャンネル数を増やす上では、主に、筐体の背面の面積が制限となり、多くても数十チャンネル程度が限界である。また、単純に沢山の測定値や測定波形を１つの画面に表示しようとすると、見にくくなってしまうという問題がある。
【００１２】
３）また、多くの測定チャンネルを取り込んで表示しようと場合、従来技術では表示器が少ないので、測定データを閲覧する上で使い勝手が悪いという問題がある。また、ネットワークを用いてデータ収集を強化しようとした場合、即ち、測定器の入力データを、「通信経由」で取り込む機能を盛り込んだレコーダを実現しようとしても従来型の表示器では、このニーズに対応できないという問題がある。
【００１３】
４）また、このような表示器を熱伝対温度計とした場合、一体として形成したＣＰＵと画像処理回路が一体型ボードとして組み込れていると、この部分に熱源が集中し、しかも設置場所の自由度が低いので、温度勾配のチューニングが困難であるという問題があり、それゆえ、温度測定精度に影響を与えるという問題がある。
【００１４】
熱伝対温度計として用いた場合、測温すべき箇所に配置される熱伝対の一端と、計測端子の金属面（熱電対を取り付けるネジ部分）の温度が完全に一致している事が理想的である。しかし、厳密には温度差があるので、測定誤差要因となる。
筐体自身の温度勾配が、測定精度という基本性能に影響を及ぼすという事実は、温度計測器特有の問題である。
【００１５】
前述のように、ＣＰＵ１６は主要な熱源の一つであり、さらに、画像処理回路１７も主要な熱源の一つである。図１０で示す従来例においては、両者が一体に組み込まれて近距離に設けられているので、筐体の温度がスポット的に高くなる傾向があり、計測器筐体の温度勾配が大きくなる傾向がある。特に、複数画面を制御する高機能な画像処理回路は発熱が大きいので、ＣＰＵ・画像処理回路一体型ボード１９付近の温度上昇は、大きくなる傾向がある。
【００１６】
計測器内部の温度勾配が大きいと、ＲＪＣ（基準接点補償）の温度測定精度に影響を及ぼす。その為、温度勾配を変更して、温度測定精度を保つ為のチューニングには、より長い時間が必要となり、開発期間が長くなるというリスクが増大してしまうという問題がある。
【００１７】
将来のレコーダの機能は、ますます多様化する傾向にある。例えば、内蔵チャンネル数、出力オプション、ネットワークに接続される計測器の数などである。従来技術では、多種多様なモデルに対して熱源レイアウトのチューニング自由度が小さく、その為、温度測定精度を保てなくなるという問題がある。
【００１８】
例えば、フェーズプランの製品初出荷後に、様々なオプションを追加発売していく場合、製品出荷当初は、出荷時点でのモデルで温度のチューニングが行われている。
その後、新しいオプション（例えば、図７における背面図で、「他の端子５」の部分）を開発したとき、これが温度勾配に影響を及ぼす場合は再度のチューニングが必要である。
このとき、従来例のように、ＣＰＵと画像処理回路の位置関係が固定されていると、温度勾配チューニングの自由度が低いので、作業が困難という問題がある。
【００１９】
従って、本発明は、汎用の外付け表示器を取り付け可能とし、本体とは異なるチャンネルの測定データの画像処理を行って、画像出力端子から複数の外付け表示器に出力することを第１の目的とし、熱伝対を用いた温度測定に対しては、発熱部材の取り付け位置の自由度を高くして温度勾配を平坦化することにより測定精度の高い表示計器を実現することを第２の目的としている。
【課題を解決するための手段】
【００２０】
本発明は上記問題点を解決するためになされたもので、請求項１記載の表示計器の発明においては、
複数の測定入力と表示手段を備えた表示計器において、前記表示計器にネットワークを経由して他の測定器の測定入力を取り入れる通信インタフェースを設け、前記ネットワーク経由の測定入力を外付け表示部に出力することを特徴とする。
【００２１】
請求項２においては、請求項１に記載の表示計器において、
前記画像処理回路の出力は、表示計器本体に設けた画像出力端子および画像ケーブを介して前記外付け表示部に送信することを特徴とする。
【００２２】
請求項３においては、請求項１または２に記載の表示計器において、
前記画像処理回路をモジュール化したことを特徴とする。
【００２３】
請求項４においては、請求項１乃至３のいずれかに記載の表示計器において、
前記画像処理回路と画像出力端子をモジュール化したことを特徴とする。
【００２４】
請求項５においては、請求項１乃至４のいずれかに記載の表示計器において、
前記表示計器本体内に収納された前記画像処理回路を含む発熱部品の組み付け位置を変更可能としたことを特徴とする。
【００２５】
請求項６においては、請求項１乃至５のいずれかに記載の表示計器において、
前記表示計器本体は温度測定のための基準接点を備えたことを特徴とする。
【００２６】
請求項７においては、請求項１乃至６のいずれかに記載の表示計器において、
前記複数の測定入力の表示に関するメモリ領域を、共通表示部分と測定出力に対応して変化する部分に分割し、前記画像処理回路は、前記共通表示部分と測定出力に対応して変化する部分を合成して出力することを特徴とする。
【発明の効果】
【００２７】
以上説明したことから明らかなように本発明によれば、次のような効果がある。請求項１，２に記載の発明によれば、表示計器にネットワークを経由して他の測定器の測定入力を取り入れる通信インタフェースを設け、画像処理回路と画像出力端子を含むブロックをモジュール化し、ネットワーク経由の測定入力を外付け表示部に出力するので、多種・多様な測定端子からのデータを表示することができる。
【００２８】
請求項３，４，５に記載の発明によれば、画像処理回路または画像処理回路と画像出力端子をモジュール化し、これら発熱部品の組み付け位置を変更可能としたので、熱伝対温度とした場合における温度勾配の調整を容易に行うことができる。
【００２９】
請求項６に記載の発明によれば、表示計器本体は温度測定のための基準接点を備えたので、チューニングの時間を短縮することができ、測定精度の向上を図ることができる。
【００３０】
請求項７に記載の発明によれば、複数の測定入力の表示に関するメモリ領域を、共通表示部分と測定出力に対応して変化する部分に分割し、画像処理回路は、共通表示部分と測定出力に対応して変化する部分を合成して出力するので、画像処理回路におけるメモリを削減することができ演算速度を速くすることができる。
【発明を実施するための最良の形態】
【００３１】
図１，図２は本発明の表示計器の実施形態の一例を示す構成図である。なお、図７に示す従来例と同一要素には同一符号を付して重複する説明は省略する。
図１において、２５は計測器背面に設けられた外付け計測器用のインターフェース（Ｉ／Ｆ）であり、図２に示すような計測端子２５ａ〜２５ｃ及び計測回路を有する外付け計測器２６（ア，イ，ウ）が接続されている。これらの計測器からの入力信号は通信Ｉ／Ｆ２５を介して図２に示すようにメモリ１５，ＣＰＵ１６に取り込まれて所定の処理がなされた後、コネクタ２７ａを介して画像処理回路１７ａに送られる。
【００３２】
図２に示す画像処理回路１７ａでは画像表示のための信号をＣＨグループＢ，Ｃを構成する画像出力端子６ａ，６ｂに送出する。なお、通信回線を用いないで計測端子４を介して入力し、ＣＨグループＡを構成する計器本体の測定信号はコネクタ２７ｂを介して本体側表示器１に送出される。
なお、斜線を付した部分は画像処理回路１７ａと画像出力端子６ａ，６ｂをモジュール化した状態を示している。
【００３３】
上述の構成によれば、表示計器にネットワークを経由して他の測定器の測定入力を取り入れる通信インタフェースを設け、画像処理回路と画像出力端子をモジュール化し、ネットワーク経由の測定入力を外付け表示器８ａ，８ｂに出力するので、多種・多様な測定端子からのデータを表示することができる。
【００３４】
図３は外付けの表示器をなくすとともに画像出力端子もなくした実施例を示すもので、画像出力端子を持たないモデルの内部構成図の例である。なお、図２とは画像出力端子がない以外は同じ要素なのでここでの説明は省略する。
ユーザーによっては、画像出力端子が不要という場合もある。図１，２に示すような複数の画像出力端子を設けたモデルは、多くの画像処理工程が必要であり、画像処理回路も高性能なものが必要になる。高性能な回路は、一般的に価格が高く、また、発熱量も大きい傾向がある。
【００３５】
このような高機能な回路を、全てのモデルに対して用いるのは、ムダである。従って、図３に示す画像出力端子を持たないタイプは、性能の低い廉価版の画像処理回路を用いるようにし、これをモジュール構成にする事で、モデルごとの作り分けを容易にすることができる。
【００３６】
図４（ａ，ｂ）は画像処理回路の発熱量に応じて取り付け箇所に自由度を持たせた例を示す説明図で、例えば熱伝対を用いた温度測定のための基準接点を備えている場合に、レイアウト場所を変更可能な内部構成を実現したものである。
この実施例においては、図４ｂに示すようにＣＰＵ１６と画像処理回路１７はそれぞれＣＰＵボード１６ａと画像処理ボード１７ａにモジュール化されている。
【００３７】
図４ａでは計器の内部の右上方付近にＣＰＵボード用のコネクタ２０ａが設置され、右中央付近に２つ、同じく右下付近に２つの画像処理ボード用のコネクタ２０ｂが設置されている。この場合、ＣＰＵボード１６ａはコネクタ２０ａに取り付けられ、画像処理ボード１７ａは画像処理ボード用の４つのコネクタ２０ｂのうちのいずれかに取り付けることになるが、どれに取り付けるかは画像処理回路の発熱量および筺体内の温度分布に応じて決定する。
このような、自由度のあるレイアウトは、画像処理回路部分をモジュール化したことによるものであり、温度バランスをチューニングするための必須事項である。そして、このレイアウトは設計・評価の時点でチューニング作業を行い、画像処理ボードのレイアウト場所を、モデルごとに決定する。
【００３８】
即ち、製造工程においては、モデルの違い（例えば、画像処理ボードの種類、計測器背面に取り付けるオプションの種類など）によって、製造図面で指示された場所に、コネクタを半田付けする。さらに、そのコネクタに画像処理ボードを取り付ける。
また、特注あるいはユーザーが製品を購入後オプションを追加した場合は、追加するオプションによって、熱勾配が変化する。
【００３９】
これによって、温度測定の精度が仕様を外れては製品価値が無くなる。このような場合においても、あらかじめ、大きな熱源の画像処理ボードを、レイアウト変更可能にしておけば、温度勾配チューニングへの対応が容易である。
【００４０】
また、画像処理回路と画像出力端子およびＣＰＵを含むブロックをモジュール化し、これら発熱部品の組み付け位置を変更可能としておけば、熱伝対温度計とした場合における温度勾配の調整を容易に行うことができる。
【００４１】
図５（ａ〜ｄ）は本発明の表示器の表示形態をバーグラフとした場合の一例を示すもので、図６はそれぞれの表示器の表示内容と、共通部分の一例を示す図である。図５において、（ａ）はグループＡの本体側表示器（１ｃｈ〜３ｃｈ）の内容を、（ｂ）はグループＢの外付け表示器（１１ｃｈ〜１３ｃｈ）の内容を、（ｃ）はグループＣの外付け表示器（２１ｃｈ〜２３ｃｈ）の内容を表示している。（ｄ）はそれぞれのグループに共通の内容を示すものである。
【００４２】
即ち、測定データを表示している各グループの画像データは、共通の画像情報と、グループ固有のデータの重ね合わせで成り立っている。なお、各グループに共通する画像デザインや数字などの文字フォント情報も共通として扱う。
【００４３】
図６はそれぞれの表示器の表示内容を示すメモリマップの例である。表示に際しては、
情報の共通部分（フォント情報、枠デザイン等）をメモリ上の一部に設ける。各グループやチャンネル固有の情報（測定値情報や、バーグラフの色情報など）は、各グループ固有のメモリエリアに設ける。
【００４４】
画像処理回路は、各表示器の画像を生成するにあたり、共通部分の情報と、各グループの固有情報を読み出して、合成し、表示器に表示する。
上述の構成によれば、メモリの使用エリアを節約することができる。
【００４５】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【図面の簡単な説明】
【００４６】
【図１】本発明の表示計器の実施形態の一例を示す構成図である。
【図２】本発明の表示計器の実施形態の内部構成の一例を示す図である。
【図３】本発明の表示計器の実施形態の他の内部構成の一例を示す図である。
【図４】画像処理ボードのコネクタを複数個設けた実施形態の一例を示す図である。
【図５】本発明の表示器の表示形態の一例を示す説明図である。
【図６】メモリマップの一例を示す説明図である。
【図７】従来の表示計器の一例を示す説明図である。
【図８】表示計器が熱伝対温度計として使用されている場合の計測端子の拡大図である。
【図９】従来の表示計器の内部構成の一例を示す図である。
【図１０】従来の表示計器における発熱素子による温度勾配の一例を示す図である。
【符号の説明】
【００４７】
１        本体側表示器
２，３    キー
４        計測端子
５        他の端子
６        画像出力端子
７        画像ケーブル
８        外付け表示器
９        ねじ端子
１０      端子台
１１      ベースプリント板
１２      プリント板アセンブリ
１３      端子板アセンブリを計測器本体に接続するためのコネクタ
１５      メモリ
１６      ＣＰＵ
１７      画像処理回路
１９      発熱部品(ＣＰＵ・画像処理一体型ボード)
２０      ＣＰＵ・画像処理一体型ボード用のコネクタ
２５      外付け計測器用Ｉ／Ｆ
２６      外付けの計測器
２７      コネクタ
【図１】
2008175658.tif 000003
【図２】
2008175658.tif 000004
【図３】
2008175658.tif 000005
【図４】
2008175658.tif 000006
【図５】
2008175658.tif 000007
【図６】
2008175658.tif 000008
【図７】
2008175658.tif 000009
【図８】
2008175658.tif 000010
【図９】
2008175658.tif 000011
【図１０】
2008175658.tif 000012